(57)【要約】【課題】本発明の課題は、低背化を図ることができ、さらに、被照射物に光を照射する際に電源装置を人の邪魔にならない場所に配置できる照明器具及び照明器具用の筐体を提供することである。【解決手段】照明器具１０は、開口２１０を前面２１１に有し光源４０を収容する第１筐体２１と、光源４０に電力を供給する電源回路６０を収容する第２筐体３１と、を備える。第２筐体３１は、互いに反対側にある前面３１１及び後面３１２を有する。第１筐体２１は、第２筐体３１に連結されて、少なくとも、第２筐体３１に対する所定位置に位置できるように第２筐体３１の後面３１２側に配置される。所定位置は、第１筐体２１の開口２１０が第２筐体３１と対向せず、かつ、第１筐体２１の前方向Ｄ２１ａと第２筐体３１において後面３１２から前面３１１に向かう規定方向Ｄ３１ａとの間の角度θが鋭角となる位置である。【選択図】  図３
2018073793.tif 000002
【特許請求の範囲】
【請求項１】
開口を前面に有し光源を収容する第１筐体を有する光源装置と、
前記光源に電力を供給する電源回路を収容する第２筐体を有する電源装置と、
を備え、
前記第２筐体は、互いに反対側にある第１端及び第２端を有し、
前記第１筐体は、前記第２筐体に連結されて、少なくとも、前記第２筐体に対する所定位置に位置できるように前記第２筐体の前記第２端側に配置され、
前記所定位置は、前記第１筐体の前記開口が前記第２筐体と対向せず、かつ、前記第１筐体の前方向と前記第２筐体において前記第２端から前記第１端に向かう規定方向との間の角度が鋭角となる位置である、
照明器具。
【請求項２】
前記光源装置は、さらに、前記開口を塞ぐように前記第１筐体に取り付けられ前記光源からの光を透過させるパネル体を有し、
前記開口は、前記前方向に直交する所定方向で互いに対向する第１辺及び第２辺を有し、
前記パネル体は、前記第１辺から前記第２辺に向かうにつれて光拡散率が高く、
前記所定位置は、前記第２辺が前記第１辺よりも前記第２筐体に近い位置である、
請求項１の照明器具。
【請求項３】
前記電源装置は、前記第１筐体を支持する一対の支持片を有し、
前記一対の支持片は、前記第２筐体の前記第２端から前記第１端とは反対側に突出し前記規定方向に直交する対向方向において互いに対向し、
前記第１筐体は、前記前方向及び前記所定方向が前記対向方向と直交するように前記一対の支持片間に配置される、
請求項２の照明器具。
【請求項４】
前記一対の支持片は、前記対向方向に沿った回転軸の周りに回転可能に前記第１筐体を支持する、
請求項３の照明器具。
【請求項５】
前記パネル体は、複数の光拡散パネルを有し、
前記複数の光拡散パネルは、前記開口の前記第１辺から前記第２辺に向かうにつれて前記パネル体の前記光拡散率が高くなるように、前記前方向に平行する方向に並べられている、
請求項２〜４のいずれか一つの照明器具。
【請求項６】
前記複数の光拡散パネルは、第１光拡散パネルと、第２光拡散パネルと、を含み、
前記第１光拡散パネルは、前記開口を塞ぐように前記第１筐体に取り付けられ、
前記第２光拡散パネルは、前記開口における前記第２辺側の部位を覆い前記第１辺側の部位を覆わないように前記第１筐体に取り付けられる、
請求項５の照明器具。
【請求項７】
前記光源装置は、さらに、前記光源を備え、
前記光源は、前記前方向と平行する方向において前記第２光拡散パネルと重なるように前記第１筐体に収容される、
請求項６の照明器具。
【請求項８】
前記光源装置は、さらに、前記第１筐体の前記開口の周囲をその前記第２辺側を除いて囲う遮光壁を有する、
請求項２〜７のいずれか一つの照明器具。
【請求項９】
前記光源装置は、さらに、前記第１筐体の前記開口の前記第１辺側だけに設けられた遮光壁を有する、
請求項２〜７のいずれか一つの照明器具。
【請求項１０】
開口を前面に有し光源を収容する第１筐体と、
前記光源に電力を供給する電源回路を収容する第２筐体と、
を備え、
前記第２筐体は、互いに反対側にある第１端及び第２端を有し、
前記第１筐体は、前記第２筐体に連結されて、少なくとも、前記第２筐体に対する所定位置に位置できるように前記第２筐体の前記第２端側に配置され、
前記所定位置は、前記第１筐体の前記開口が前記第２筐体と対向せず、かつ、前記第１筐体の前方向と前記第２筐体において前記第２端から前記第１端に向かう規定方向との間の角度が鋭角となる位置である、
照明器具用の筐体。
【発明の詳細な説明】
【技術分野】
【０００１】
本発明は、照明器具及び照明器具用の筐体に関し、特に、ホリゾントを照らす用途に用いられる照明器具及び照明器具用の筐体に関する。
【背景技術】
【０００２】
特許文献１は、背景壁面（被照射物）を照らすためのホリゾントライトなどの照明装置（照明器具）を開示する。特許文献１の照明装置は、第１の光源、第２の光源、及び第１の光源及び第２の光源のＬＥＤユニットを点灯させる電源装置を備える。特許文献１の照明装置は、さらに、第１の光源、第２の光源、及び電源装置を収容する筐体を備える。特許文献１の照明装置を使用する際には、照明装置の筐体が床に設置される。
【先行技術文献】
【特許文献】
【０００３】
【特許文献１】特開２０１４−１２７３８０号公報
【発明の概要】
【発明が解決しようとする課題】
【０００４】
特許文献１の照明装置では、電源装置と第２の光源とが筐体の高さ方向に並んでいるため、筐体の背が高い。そのため、照明装置全体として背が高くなっていた。
【０００５】
本発明の課題は、照明器具の低背化を図ることができ、しかも、被照射物に光を照射する際に電源装置を人の邪魔にならない場所に配置できる照明器具及び照明器具用の筐体を提供することである。
【課題を解決するための手段】
【０００６】
本発明に係る一態様の照明器具は、開口を前面に有し光源を収容する第１筐体を有する光源装置と、前記光源に電力を供給する電源回路を収容する第２筐体を有する電源装置と、を備える。前記第２筐体は、互いに反対側にある第１端及び第２端を有する。前記第１筐体は、前記第２筐体に連結されて、少なくとも、前記第２筐体に対する所定位置に位置できるように前記第２筐体の前記第２端側に配置される。前記所定位置は、前記第１筐体の前記開口が前記第２筐体と対向せず、かつ、前記第１筐体の前方向と前記第２筐体において前記第２端から前記第１端に向かう規定方向との間の角度が鋭角となる位置である。
【０００７】
本発明に係る一態様の照明器具用の筐体は、開口を前面に有し光源を収容する第１筐体と、前記光源に電力を供給する電源回路を収容する第２筐体と、を備える。前記第２筐体は、互いに反対側にある第１端及び第２端を有する。前記第１筐体は、前記第２筐体に連結されて、少なくとも、前記第２筐体に対する所定位置に位置できるように前記第２筐体の前記第２端側に配置される。前記所定位置は、前記第１筐体の前記開口が前記第２筐体と対向せず、かつ、前記第１筐体の前方向と前記第２筐体において前記第２端から前記第１端に向かう規定方向との間の角度が鋭角となる位置である。
【発明の効果】
【０００８】
本発明の態様の照明器具及び照明器具用の筐体によれば、照明器具の低背化を図ることができ、さらに、被照射物に光を照射する際に電源装置を人の邪魔にならない場所に配置できるという効果を奏する。
【図面の簡単な説明】
【０００９】
【図１】図１Ａは、本発明に係る一実施形態の照明器具の斜視図である。図１Ｂは、上記実施形態の照明器具の別の斜視図である。
【図２】図２は、上記実施形態の照明器具の平面図である。
【図３】図３は、図２のＸ−Ｘ線断面図である。
【図４】図４は、上記実施形態の照明器具の光源装置の透視正面図である。
【図５】図５は、上記実施形態の照明器具の光源装置の一部を切り欠いた斜視図である。
【図６】図６は、上記実施形態の照明器具の使用説明図である。
【発明を実施するための形態】
【００１０】
１．実施形態
１．１  構成
本実施形態の照明器具１０は、ホリゾントを照らす用途に用いられるホリゾントライトである。照明器具１０は、図１Ａ、図１Ｂ及び図２に示すように、光源装置２０と、電源装置３０と、を備える。また、図３に示すように、光源装置２０は、光源４０を備え、電源装置３０は、光源４０に電力を供給するための電源回路６０を備える。
【００１１】
光源装置２０は、図１Ａ及び図１Ｂに示すように、さらに、第１筐体２１と、パネル体２２と、放熱部材２３と、遮光壁２４と、を備える。
【００１２】
第１筐体２１は、図３に示すように、開口２１０を前面２１１に有し光源４０を収容する。また、第１筐体２１は、反射部材５０を収容する。第１筐体２１は、図３及び図４に示すように、直方体の箱状に形成される。第１筐体２１は、不透明である。例えば、第１筐体２１は、金属材料により形成され得る。第１筐体２１は、前面２１１、後面２１２、第１側面２１３、第２側面２１４、第３側面２１５及び第４側面２１６の６つの面を有する。第１側面２１３及び第２側面２１４は、図１Ａ及び図４に示すように、前後方向Ｄ２１に直交する第１方向Ｄ２２（図４の上下方向）の両側面である。なお、図３におけるＤ２１ａは、第１筐体２１の前方向を示している。また、第３側面２１５及び第４側面２１６は、図１Ａ及び図４に示すように、前後方向Ｄ２１及び第１方向Ｄ２２に直交する第２方向Ｄ２３（図４の左右方向）の両側面である。本実施形態では、第１筐体２１は、第１方向Ｄ２２の寸法が第２方向Ｄ２３の寸法より小さい。第１筐体２１は、不透明である。例えば、第１筐体２１は、金属材料により形成され得る。
【００１３】
開口２１０は、第１筐体２１に収容された光源４０からの光を第１筐体２１の外部に出射させるために設けられる。開口２１０は、第１筐体２１の前面２１１に形成される。開口２１０は、図４に示すように、矩形状である。開口２１０は、図４に示すように、第１辺２１０ａ、第２辺２１０ｂ、第３辺２１０ｃ及び第４辺２１０ｄを有する。第１辺２１０ａ及び第２辺２１０ｂは、図４に示すように、第１筐体２１の前方向Ｄ２１ａに直交する所定方向（上述の第１方向Ｄ２２）で互いに対向する辺である。第１辺２１０ａは、開口２１０における第１側面２１３側の辺であり、第２辺２１０ｂは、開口２１０における第２側面２１４側の辺である。第３辺２１０ｃ及び第４辺２１０ｄは、図４に示すように、上述の第２方向Ｄ２３で互いに対向する辺である。第３辺２１０ｃは、開口２１０における第３側面２１５側の辺であり、第４辺２１０ｄは、開口２１０における第４側面２１６側の辺である。本実施形態では、開口２１０は、第１方向Ｄ２２の寸法が第２方向Ｄ２３の寸法より小さい。
【００１４】
また、第１筐体２１は、図１Ｂに示すように、光源装置２０と電源装置３０との電気的な接続のための一対の挿通孔２５，２５を有する。一対の挿通孔２５，２５は、第１筐体２１の第２側面２１４に形成される（図１Ｂ参照）。一対の挿通孔２５，２５の各々は、光源装置２０の光源４０と電源装置３０の電源回路６０とを電気的に接続するための電線を通す孔である。また、第１筐体２１は、光源装置２０と電源装置３０との機械的な接続のための一対の接続孔を有する。一対の接続孔は、第１筐体２１の第３及び第４側面２１５，２１６にそれぞれ形成される。一対の接続孔は、第２方向Ｄ２３において同軸上に位置している。
【００１５】
光源４０は、図４に示すように、一対の光源モジュール４１で構成される。一対の光源モジュール４１のそれぞれは、複数の発光ダイオード４１１と、複数の発光ダイオード４１１が実装される回路基板４１２と、を備える。このような光源モジュール４１は従来周知の構成でよいから、説明を省略する。一対の光源モジュール４１は、開口２１０から外部に露出するように第１筐体２１の内底面２１７に配置される。また、一対の光源モジュール４１は、第１筐体２１の第２方向Ｄ２３に並べられている。
【００１６】
反射部材５０は、光源４０からの光を効率良く第１筐体２１の外部に出射させるために設けられる。反射部材５０は、図３及び図４に示すように、光源４０からの光を反射する３つの反射板５１，５２，５３と、３つの反射板５１，５２，５３を支持する３つの支持板５４，５５，５６とで構成される。３つの支持板５４，５５，５６は、図４に示すように、第１筐体２１の第２方向Ｄ２３に所定の間隔を隔てて並ぶように第１筐体２１の内底面２１７に取り付けられる。３つの支持板５４，５５，５６は、図４に示すように、３つの反射板５１，５２，５３を第１筐体２１の第１方向Ｄ２２に並ぶように支持する。このような反射部材５０は従来周知の構成でよいから、説明を省略する。
【００１７】
パネル体２２は、開口２１０を塞ぐように第１筐体２１に取り付けられ光源４０からの光を透過させる。パネル体２２は、図３及び図５に示すように、第１光拡散パネル２２１と、第２光拡散パネル２２２と、を有する。第１光拡散パネル２２１及び第２光拡散パネル２２２は、例えば、乳白色の透光性を有する材料により形成され得る。第１光拡散パネル２２１及び第２光拡散パネル２２２は、矩形板状であるが、大きさが異なっている。図３及び図５に示すように、第１光拡散パネル２２１は開口２１０を覆うことが可能な大きさであるが、第２光拡散パネル２２２は第１方向Ｄ２２においては開口２１０を覆うことができない大きさである。つまり、第１光拡散パネル２２１は、第１方向Ｄ２２及び第２方向Ｄ２３の両方において開口２１０より寸法が大きい。第２光拡散パネル２２２は、第２方向Ｄ２３においては開口２１０より寸法が大きいが、第１方向Ｄ２２においては開口２１０より寸法が小さい。図５に示すように、第１光拡散パネル２２１は、開口２１０を覆うように第１筐体２１に取り付けられる。一方、第２光拡散パネル２２２は、開口２１０における第２辺２１０ｂ側の部位を覆い第１辺２１０ａ側の部位を覆わないように第１筐体２１に取り付けられる。また、第２光拡散パネル２２２は、第１光拡散パネル２２１と光源４０との間に位置するように第１筐体２１に取り付けられる。本実施形態では、光源４０は、第１筐体２１の前方向Ｄ２１ａと平行する方向において第２光拡散パネル２２２と重なるように第１筐体２１に収容される。
【００１８】
パネル体２２は、図３に示すように、第１光拡散パネル２２１のみが存在する第１部位２２ａと、第１及び第２光拡散パネル２２１，２２２の両方が存在する第２部位２２ｂと、を有する。ここで、第１部位２２ａは、光拡散率が、第２部位２２ｂよりも低くなる。例えば、第１部位２２ａの光拡散率（光拡散度）は約６０％に設定され、第２部位２２ｂの光拡散率（光拡散度）は約８３％に設定される。つまり、第１及び第２光拡散パネル２２１，２２２は、開口２１０の第１辺２１０ａから第２辺２１０ｂに向かうにつれてパネル体２２の光拡散率が高くなるように、第１筐体２１の前方向Ｄ２１ａに平行する方向に並べられている。このようにして、パネル体２２は、開口２１０の第１辺２１０ａから第２辺２１０ｂに向かうにつれて拡散率が高くなるように構成されている。この構成によれば、パネル体２２の部分的な光拡散率の調整を容易に行うことができる。また、この構成によれば、光拡散率が異なる部位を２つ有するパネル体２２を容易に得ることができる。また、本実施形態では、光源４０は、第１筐体２１の前方向Ｄ２１ａと平行する方向において第２光拡散パネル２２２と重なっている。これにより、光源４０からの光の強度が最も高くなる方向において、第２部位２２ｂが光源４０を覆う。したがって、パネル体２２により光源４０の光をより効率良く拡散させることができ、被照射物をより均一に照らすことができる可能性が高くなる。なお、第１光拡散パネル２２１と第２光拡散パネル２２２の光拡散率は同じであってもよいし、異なっていてもよいが、第１部位２２ａの光拡散率が第２部位２２ｂの光拡散率よりも低くなるように選択される。
【００１９】
放熱部材２３は、光源４０で発生した熱を放散させるために設けられる。放熱部材２３は、図１Ｂ及び図３に示すように、第１筐体２１の後面２１２に取り付けられる。放熱部材２３は、図１Ｂに示すように、複数の放熱フィン２３１を備える。複数の放熱フィン２３１は、各々、金属製の平板である。複数の放熱フィン２３１は、図１Ｂに示すように、第１筐体２１の第２方向Ｄ２３に所定間隔を隔てて並ぶように配置される。
【００２０】
遮光壁２４は、図４に示すように、第１筐体２１の開口２１０の周囲をその第２辺２１０ｂ側を除いて囲う。遮光壁２４は、不透明である。例えば、遮光壁２４は、金属材料により形成され得る。遮光壁２４は、第１筐体２１の前面２１１において、開口２１０の第１辺２１０ａ、第３辺２１０ｃ、及び第４辺２１０ｄの近傍に設けられている。より詳細には、遮光壁２４は、第１側壁２４１と、第２側壁２４２と、第３側壁２４３とを備える。第１側壁２４１は、第１筐体２１の前面２１１において、開口２１０の第１辺２１０ａの近傍に設けられる。第１側壁２４１は、長尺の直方体状であり、第１辺２１０ａの全体に亘っている。第２側壁２４２は、第１筐体２１の前面２１１において、開口２１０の第３辺２１０ｃの近傍に設けられる。第２側壁２４２は、長尺の直方体状であり、第３辺２１０ｃの全体に亘っている。また、第２側壁２４２は、開口２１０側の側面２４２ａが、第１筐体２１の前方向Ｄ２１ａに向かうにつれて開口２１０から遠ざかるように傾斜している。第３側壁２４３は、第１筐体２１の前面２１１において、開口２１０の第４辺２１０ｄの近傍に設けられる。第３側壁２４３は、長尺の直方体状であり、第４辺２１０ｄの全体に亘っている。また、第３側壁２４３は、開口２１０側の側面２４３ａが、第１筐体２１の前方向Ｄ２１ａに向かうにつれて開口２１０から遠ざかるように傾斜している。本実施形態において、遮光壁２４は、第１筐体２１と一体に形成されている。ここで、開口２１０の第２辺２１０ｂ側については、第２筐体３１が遮光壁として機能し得る。そのため、遮光壁２４を、第１筐体２１の開口２１０の周囲を囲うように形成する必要がない。つまり、この遮光壁２４によれば、コストの増加を抑制しながらも、光源４０からの光の照射範囲が意図しない範囲に広がってしまう可能性を低減できる。
【００２１】
電源装置３０は、図１Ａ及び図１Ｂに示すように、さらに、第２筐体３１と、支持部３２と、を備える。
【００２２】
第２筐体３１は、図３に示すように、光源４０に電力を供給する電源回路６０を収容する。電源回路６０は、例えば、スイッチング電源であり、１以上の回路基板と、複数の電子部品とで構成される。電源回路６０は、外部電源の電力を光源４０に適した電力に変換する機能を有する。外部電源が交流電源（例えば、商用交流電源）である場合、電源回路６０は、例えば、整流回路、昇圧チョッパ回路及び降圧チョッパ回路を備えることができる。また、電源回路６０は、光源４０の明るさ等を調節する機能を有していてもよい。このような電源回路６０は従来周知の構成でよいから、説明を省略する。
【００２３】
第２筐体３１は、図１Ａ及び図１Ｂに示すように、直方体の箱状に形成される。第２筐体３１は、不透明である。例えば、第２筐体３１は、金属材料により形成され得る。第２筐体３１は、前面３１１、後面３１２、第１側面３１３、第２側面３１４、第３側面３１５及び第４側面３１６の６つの面を有する。前面３１１及び後面３１２は、図１Ａ及び図１Ｂに示すように、第２筐体３１の前後方向Ｄ３１における両面である。このように、第２筐体３１は、互いに反対側にある第１端（前面３１１）及び第２端（後面３１２）を有する。以下では、図３に示すように、第２筐体３１の第２端（後面３１２）から第１端（前面３１１）に向かう方向（つまり、第２筐体３１の前方向）を規定方向といい、符号Ｄ３１ａで表す。第１側面３１３及び第２側面３１４は、図１Ａ、図１Ｂ及び図３に示すように、前後方向Ｄ３１に直交する第３方向Ｄ３２（図１Ａ、図１Ｂの上下方向）の両側面である。また、第３側面３１５及び第４側面３１６は、図１Ａ、図１Ｂ及び図２に示すように、前後方向Ｄ３１及び第３方向Ｄ３２に直交する第４方向Ｄ３３（図２の上下方向）の両側面である。本実施形態では、第２筐体３１は、第３方向Ｄ３２の寸法が第４方向Ｄ３３の寸法より小さい。また、第２筐体３１では、第２側面３１４が底面となる。
【００２４】
また、第２筐体３１は、図１Ｂに示すように、光源装置２０と電源装置３０との電気的な接続のための一対の挿通孔３３，３３を有する。一対の挿通孔３３，３３は、第２筐体３１の後面３１２に形成される（図１Ｂ参照）。一対の挿通孔３３，３３の各々は、光源装置２０の光源４０と電源装置３０の電源回路６０とを電気的に接続するための電線を通すための孔である。また、第２筐体３１の前面３１１には、電源回路６０を操作するための操作部や電源回路６０に外部電源を接続するための端子などが必要に応じて設けられる。
【００２５】
支持部３２は、第１筐体２１を支持するために、第２筐体３１の第２端（後面３１２）から第１端（前面３１１）とは反対側に形成される。支持部３２は、図２に示すように、一対の支持片３２ａ，３２ｂを有する。一対の支持片３２ａ，３２ｂは、第２筐体３１の第２端（後面３１２）から第１端（前面３１１）とは反対側に突出する。また、一対の支持片３２ａ，３２ｂは、規定方向Ｄ３１ａに直交する対向方向（本実施形態では第２筐体３１の第４方向Ｄ３３）において互いに対向する。第２筐体３１の第４方向Ｄ３３における一対の支持片３２ａ，３２ｂ間の距離は、第１筐体２１の第２方向Ｄ２３における寸法より大きい。一対の支持片３２ａ，３２ｂは、平板状であり、厚み方向が第４方向Ｄ３３と平行する。また、図１Ａ及び図１ｂに示すように、一対の支持片３２ａ，３２ｂは、それぞれ、光源装置２０と電源装置３０との機械的な接続のための一対の接続孔３２１，３２１を有する。一対の接続孔３２１，３２１は、第４方向Ｄ３３において同軸上に位置している。本実施形態では、一対の支持片３２ａ，３２ｂは、第２筐体３１に一体に形成されている。また、支持片３２ａは、支持片３２ｂと対向しない面（図２における下側の面）が第３側面３１５と面一となっている。同様に、支持片３２ｂは、支持片３２ａと対向しない面（図２における上側の面）が第４側面３１６と面一となっている。
【００２６】
本実施形態の照明器具１０において、第１筐体２１は、図３に示すように、第１筐体２１の第２方向Ｄ２３が第２筐体３１の第４方向Ｄ３３と互いに平行となるように、一対の支持片３２ａ，３２ｂ間に配置される。これにより、第１筐体２１を第２筐体３１が設置される面（例えば床面）に近付けることができる。したがって、照明器具１０の低背化が図れる。
【００２７】
ここで、第１筐体２１の前方向Ｄ２１ａ及び開口２１０の所定方向（第１方向Ｄ２２）が一対の支持片３２ａ，３２ｂの対向方向（第４方向Ｄ３３）と直交する。そして、一対の支持片３２ａ，３２ｂの接続孔３２１と第１筐体２１の一対の接続孔とを利用して、第１筐体２１が第２筐体３１に第２方向Ｄ２３に沿った回転軸の周りに回転可能に連結される。換言すれば、一対の支持片３２ａ，３２ｂは、対向方向（第４方向Ｄ３３）に沿った回転軸の周りに回転可能に第１筐体２１を支持する。そのため、光源装置２０の光源４０の光の照射方向を調整することができる。
【００２８】
ここで、第１筐体２１が第２筐体３１に対して回転可能な範囲は、第１筐体２１の第２筐体３１に対する所定位置を含むように設定される。つまり、第１筐体２１は、第２筐体３１に連結されて、少なくとも、第２筐体３１に対する所定位置に位置できるように第２筐体３１の第２端（後面３１２）側に配置される。
【００２９】
ここで、所定位置は、図３に示すように、第１筐体２１の開口２１０が第２筐体３１と対向しない位置である。また、所定位置は、第１筐体２１の前方向Ｄ２１ａと第２筐体３１において第２端（後面３１２）から第１端（前面３１１）に向かう規定方向Ｄ３１ａとの間の角度θが鋭角となる位置である。特に、本実施形態では、角度θは、第１筐体２１の第２筐体３１に対する回転軸に直交する面内における第１筐体２１の前方向Ｄ２１ａと第２筐体３１の規定方向Ｄ３１ａとの間の角度である。また、所定位置は、開口２１０の第２辺２１０ｂが第１辺２１０ａよりも第２筐体３１に近い位置でもある。なお、第１筐体２１の一対の挿通孔２５，２５と第２筐体３１の一対の挿通孔３３，３３とにより、電線を介して光源４０と電源回路６０とが電気的に接続される。
【００３０】
１．２  使用態様
本実施形態の照明器具１０は、例えば、図６に示すように、舞台のホリゾント（例えば、背景用の幕や壁）９０を照らすために用いられる。照明器具１０は、電源装置３０の第２筐体３１の第１端（前面３１１）がホリゾント９０に対向し、かつ、光源装置２０がホリゾント９０から一定距離Ｌ離れるように、床８０に設置される。ここで、光源装置２０からの光を遮ってはいけないため、床８０において光源装置２０とホリゾント９０との間のスペース８１は、演者等が使用できないデッドスペースとなる。一方、床８０において照明器具１０のホリゾント９０とは反対側のスペース８２は、演者等がパフォーマンス等を行うためのアクティングスペース（ステージ）となる。本実施形態の照明器具１０では、第１筐体２１は、第２筐体３１に対する所定位置に位置できるように第２筐体３１の第２端（後面３１２）側に配置されている。そのため、電源装置３０の第２筐体３１の第１端（前面３１１）をホリゾント９０に向けて床８０に設置した場合に、光源装置２０の第１筐体２１と電源装置３０の第２筐体３１とが上下方向に並ばない。よって、照明器具１０の低背化を図ることができる。さらに、電源装置３０がスペース８２に進出せずに、スペース８１に進出することになる。そのため、ホリゾント９０などの被照射物に光を照射する際に電源装置３０を人の邪魔にならない場所（スペース８１）に配置できる。つまり、アクティングスペースを広げることが可能になる。また、所定位置は、第１筐体２１の開口２１０が第２筐体３１と対向せず、かつ、第１筐体２１の前方向Ｄ２１ａと第２筐体３１において第２端（後面３１２）から第１端（前面３１１）に向かう規定方向Ｄ３１ａとの間の角度θが鋭角となる位置である。よって、電源装置３０が光源装置２０からの光を遮ってしまう可能性を低減できる。また、本実施形態の照明器具１０では、パネル体２２は、第１辺２１０ａから第２辺２１０ｂに向かうにつれて光拡散率が高くなっている。そして、所定位置は、さらに、第２辺２１０ｂが第１辺２１０ａよりも第２筐体３１に近い位置である。つまり、所定位置では、パネル体２２は、第２筐体３１に近い部位ほど光拡散率が高い。そのため、ホリゾント９０の下側が上側よりも明るくなる可能性を低減できる。よって、照明器具１０は、ホリゾント９０を均一に照らすことができる可能性が高くなる。
【００３１】
１．３  まとめ
以上述べたように、本実施形態の照明器具１０では、光源装置２０の第１筐体２１は、電源装置３０の第２筐体３１に対する所定位置に位置できるように第２筐体３１の第２端（後面３１２）側に配置されている。また、所定位置は、第１筐体２１の開口２１０が第２筐体３１と対向せず、かつ、第１筐体２１の前方向Ｄ２１ａと第２筐体３１において第２端（後面３１２）から第１端（前面３１１）に向かう規定方向Ｄ３１ａとの間の角度θが鋭角となる位置である。よって、上記実施形態の照明器具１０によれば、照明器具１０の低背化を図ることができ、さらに、被照射物（ホリゾント９０）に光を照射する際に電源装置３０を人の邪魔にならない場所（スペース８２）に配置できる。また、本実施形態では、第１筐体２１と第２筐体３１とが照明器具１０用の筐体を構成する。そして、この筐体では、第１筐体２１は、第２筐体３１に対する所定位置に位置できるように第２筐体３１の第２端（後面３１２）側に配置されている。また、所定位置は、第１筐体２１の開口２１０が第２筐体３１と対向せず、かつ、第１筐体２１の前方向Ｄ２１ａと第２筐体３１において第２端（後面３１２）から第１端（前面３１１）に向かう規定方向Ｄ３１ａとの間の角度θが鋭角となる位置である。よって、上記実施形態の照明器具１０用の筐体によれば、照明器具１０の低背化を図ることができ、さらに、被照射物（ホリゾント９０）に光を照射する際に電源装置３０を人の邪魔にならない場所（スペース８２）に配置できる。
【００３２】
２．変形例
以上説明した実施形態は、本発明の様々な実施形態の一部に過ぎない。また、上記実施形態は、本発明の目的を達成できれば、設計等に応じて種々の変更が可能である。以下に、上記実施形態の変形例を列挙する。
【００３３】
変形例では、光源装置２０は、放熱部材２３を備えていなくてもよい。また、光源装置２０は、反射部材５０を備えていなくてもよい。また、変形例では、遮光壁２４は、第２側壁２４２と第３側壁２４３とを有していなくてもよい。つまり、遮光壁２４は、第１側壁２４１だけであってもよい。この場合、光源装置２０は、第１筐体２１の開口２１０の第１辺２１０ａ側だけに設けられた遮光壁２４を有する。この場合でも、コストの増加を抑制しながらも、光源４０からの光の照射範囲が意図しない範囲に広がってしまう可能性を低減できる。また、光源装置２０は、遮光壁２４を備えていなくてもよい。
【００３４】
変形例では、第１筐体２１の形状は直方体の箱状に限定されず、立方体、円柱、円錐の箱状であってもよい。要するに、第１筐体２１は、開口２１０を前面２１１に有し光源４０を収容できればよい。また、第１筐体２１の材料も特に限定されないが、不透明であることが好ましい。また、開口２１０の形状も矩形状に限定されない。要するに開口２１０は光源４０からの光を第１筐体２１の外部に出射させることができればよい。また、第１筐体２１において一対の挿通孔２５，２５の場所は特に限定されない。また、光源装置２０は、一対の挿通孔２５，２５の代わりに１又は３以上の挿通孔を有していてもよい。つまり、第１筐体２１は、電源回路６０が光源４０に電力を供給できるようになっていればよい。
【００３５】
変形例では、光源４０は、ＬＥＤに限定されず、有機エレクトロルミネッセンス素子、又は、その他の光源（白熱灯、蛍光灯など）であってもよい。
【００３６】
上記実施形態では、パネル体２２は、第１光拡散パネル２２１と第２光拡散パネル２２２との２枚の光拡散パネルを有している。しかしながら、変形例では、パネル体２２は、３以上の複数の光拡散パネルを有していてもよい。例えば、パネル体２２は、第１〜第３光拡散パネルを有していてもよい。この場合、パネル体２２は、第１光拡散パネルのみが存在する部位と、第１及び第２光拡散パネルが存在する部位と、第１〜第３光拡散パネルが存在する部位とで、異なる光拡散率を有することができる。つまり、パネル体２２は、光拡散率が互いに異なる２つ以上の部位を有していればよい。
【００３７】
上記実施形態では、第１光拡散パネル２２１と第２光拡散パネル２２２とは、第１筐体２１の前方向Ｄ２１ａに平行する方向に並べられているが、同一平面上において第１方向Ｄ２２に平行する方向に並べられていてもよい。この場合、第１光拡散パネル２２１が開口２１０の第１辺２１０ａ側に配置され、第２光拡散パネル２２２が開口２１０の第２辺２１０ｂ側に配置されてもよい。さらに、第１光拡散パネル２２１の第２辺２１０ｂ側の側面と、第２光拡散パネル２２２の第１辺２１０ａ側の側面とが接触してもよい。また、第１光拡散パネル２２１の前面と、第２光拡散パネル２２２の前面とが面一になっていてもよい。このようにして、複数の光拡散パネルは、開口２１０の第１辺２１０ａから第２辺２１０ｂに向かうにつれてパネル体２２の光拡散率が高くなるように、第１方向Ｄ２２に平行する方向に並べられていてもよい。この場合において、第１光拡散パネル２２１と第２光拡散パネル２２２との境界は、直線状であってもよいし、直線状でなくてもよい。例えば、このような境界は、矩形波状や曲線状（例えば正弦波）であっても良い。
【００３８】
上記実施形態では、第１部位２２ａの光拡散率（光拡散度）は約６０％に設定され、第２部位２２ｂの光拡散率（光拡散度）は約８３％に設定されているが、これらは一例に過ぎない。例えば、第１部位２２ａの光拡散率はクリアパネルと等価な値であってもよい。
【００３９】
変形例では、第２筐体３１の形状は直方体の箱状に限定されず、立方体、円柱、円錐の箱状であってもよい。要するに、第２筐体３１は、電源回路６０を収容できればよい。また、第２筐体３１の材料も特に限定されないが、不透明であることが好ましい。また、第２筐体３１において一対の挿通孔３３，３３の場所は特に限定されない。また、電源装置３０は、一対の挿通孔３３，３３の代わりに１又は３以上の挿通孔を有していてもよい。要するに、第２筐体３１は、電源回路６０が光源４０に電力を供給できるようになっていればよい。
【００４０】
上記実施形態では、一対の支持片３２ａ，３２ｂが、光源装置２０を支持する支持部３２を構成している。しかし、このような支持部３２は、一端で光源装置２０の第１筐体２１に連結され、他端で第２筐体３１に連結されるアームであってもよい。要するに、支持部３２は、第１筐体２１が第２筐体３１に対して所定位置に位置できるように連結する構造を有していればよい。また、支持部３２は、必ずしも第１筐体２１を第２筐体３１に対して回転可能に支持するように構成されていなくてもよい。
【００４１】
上記実施形態では、照明器具１０は、第２筐体３１が床８０に設置された状態で使用されているが、第２筐体３１は天井に設置されてもよい。照明器具１０の使用態様は特に限定されない。
【００４２】
３．態様
上記実施形態及び変形例から明らかなように、第１の態様の照明器具（１０）は、光源装置（２０）と、電源装置（３０）と、を備える。前記光源装置（２０）は、開口（２１０）を前面（２１１）に有し光源（４０）を収容する第１筐体（２１）を有する。前記電源装置（３０）は、前記光源（４０）に電力を供給する電源回路（６０）を収容する第２筐体（３１）を有する。前記第２筐体（３１）は、互いに反対側にある第１端（前面３１１）及び第２端（後面３１２）を有する。前記第１筐体（２１）は、前記第２筐体（３１）に連結されて、少なくとも、前記第２筐体（３１）に対する所定位置に位置できるように前記第２筐体（３１）の前記第２端（後面３１２）側に配置される。前記所定位置は、前記第１筐体（２１）の前記開口（２１０）が前記第２筐体（３１）と対向しない位置である。また、前記所定位置は、前記第１筐体（２１）の前方向（Ｄ２１ａ）と前記第２筐体（３１）において前記第２端（後面３１２）から前記第１端（前面３１１）に向かう規定方向（Ｄ３１ａ）との間の角度（θ）が鋭角となる位置である。第１の態様によれば、照明器具（１０）の低背化を図ることができ、さらに、被照射物（ホリゾント９０）に光を照射する際に電源装置（３０）を人の邪魔にならない場所（スペース８２）に配置できる。
【００４３】
第２の態様の照明器具（１０）は、第１の態様との組み合わせにより実現され得る。第２の態様では、前記光源装置（２０）は、さらに、前記開口（２１０）を塞ぐように前記第１筐体（２１）に取り付けられ前記光源（４０）からの光を透過させるパネル体（２２）を有する。前記開口（２１０）は、前記前方向（Ｄ２１ａ）に直交する所定方向（Ｄ２２）で互いに対向する第１辺（２１０ａ）及び第２辺（２１０ｂ）を有する。前記パネル体（２２）は、前記第１辺（２１０ａ）から前記第２辺（２１０ｂ）に向かうにつれて光拡散率が高い。前記所定位置は、前記第２辺（２１０ｂ）が前記第１辺（２１０ａ）よりも前記第２筐体（３１）に近い位置である。第２の態様によれば、被照射物（ホリゾント９０）を均一に照らすことができる可能性が高くなる。
【００４４】
第３の態様の照明器具（１０）は、第２の態様との組み合わせにより実現され得る。第３の態様では、前記電源装置（３０）は、前記第１筐体（２１）を支持する一対の支持片（３２ａ，３２ｂ）を有する。前記一対の支持片（３２ａ，３２ｂ）は、前記第２筐体（３１）の前記第２端（後面３１２）から前記第１端（前面３１１）とは反対側に突出し前記規定方向（Ｄ３１ａ）に直交する対向方向（Ｄ３３）において互いに対向する。前記第１筐体（２１）は、前記前方向（Ｄ２１ａ）及び前記所定方向（Ｄ２２）が前記対向方向（Ｄ３３）と直交するように前記一対の支持片（３２ａ，３２ｂ）間に配置される。第３の態様によれば、照明器具（１０）の低背化が図れる。
【００４５】
第４の態様の照明器具（１０）は、第３の態様との組み合わせにより実現され得る。第４の態様では、前記一対の支持片（３２ａ，３２ｂ）は、前記対向方向（Ｄ３３）に沿った回転軸の周りに回転可能に前記第１筐体（２１）を支持する。第４の態様によれば、光源装置（２０）の光源（４０）の光の照射方向を調整することができる。
【００４６】
第５の態様の照明器具（１０）は、第２〜第４の態様のいずれか一つとの組み合わせにより実現され得る。第５の態様では、前記パネル体（２２）は、複数の光拡散パネル（２２１，２２２）を有する。前記複数の光拡散パネル（２２１，２２２）は、前記開口（２１０）の前記第１辺（２１０ａ）から前記第２辺（２１０ｂ）に向かうにつれて前記パネル体（２２）の前記光拡散率が高くなるように、前記前方向（Ｄ２１ａ）に平行する方向に並べられている。第５の態様によれば、パネル体（２２）の部分的な光拡散率の調整を容易に行うことができる。
【００４７】
第６の態様の照明器具（１０）は、第５の態様との組み合わせにより実現され得る。第６の態様では、前記複数の光拡散パネル（２２１，２２２）は、第１光拡散パネル（２２１）と、第２光拡散パネル（２２２）と、を含む。前記第１光拡散パネル（２２１）は、前記開口（２１０）を塞ぐように前記第１筐体（２１）に取り付けられる。前記第２光拡散パネル（２２２）は、前記開口（２１０）における前記第２辺（２１０ｂ）側の部位を覆い前記第１辺（２１０ａ）側の部位を覆わないように前記第１筐体（２１）に取り付けられる。第６の態様によれば、光拡散率が異なる部位を２つ有するパネル体（２２）を容易に得ることができる。
【００４８】
第７の態様の照明器具（１０）は、第６の態様との組み合わせにより実現され得る。第７の態様では、前記光源装置（２０）は、さらに、前記光源（４０）を備える。前記光源（４０）は、前記前方向（Ｄ２１ａ）と平行する方向において前記第２光拡散パネル（２２２）と重なるように前記第１筐体（２１）に収容される。第７の態様によれば、被照射物（ホリゾント９０）をより均一に照らすことができる可能性が高くなる。
【００４９】
第８の態様の照明器具（１０）は、第２〜第７の態様のいずれか一つとの組み合わせにより実現され得る。第８の態様では、前記光源装置（２０）は、さらに、前記第１筐体（２１）の前記開口（２１０）の周囲をその前記第２辺（２１０ｂ）側を除いて囲う遮光壁（２４）を有する。第８の態様によれば、コストの増加を抑制しながらも、光源（４０）からの光の照射範囲が意図しない範囲に広がってしまう可能性を低減できる。
【００５０】
第９の態様の照明器具（１０）は、第２〜第７の態様のいずれか一つとの組み合わせにより実現され得る。第９の態様では、前記光源装置（２０）は、さらに、前記第１筐体（２１）の前記開口（２１０）の前記第１辺（２１０ａ）側だけに設けられた遮光壁（２４）を有する。第９の態様によれば、コストの増加を抑制しながらも、光源（４０）からの光の照射範囲が意図しない範囲に広がってしまう可能性を低減できる。
【００５１】
第１０の態様の照明器具（１０）用の筐体（２１，３１）は、開口（２１０）を前面（２１１）に有し光源（４０）を収容する第１筐体（２１）と、前記光源（４０）に電力を供給する電源回路（６０）を収容する第２筐体（３１）と、を備える。前記第２筐体（３１）は、互いに反対側にある第１端（前面３１１）及び第２端（後面３１２）を有する。前記第１筐体（２１）は、前記第２筐体（３１）に連結されて、少なくとも、前記第２筐体（３１）に対する所定位置に位置できるように前記第２筐体（３１）の前記第２端（後面３１２）側に配置される。前記所定位置は、前記第１筐体（２１）の前記開口（２１０）が前記第２筐体（３１）と対向しない位置である。また、前記所定位置は、前記第１筐体（２１）の前方向（Ｄ２１ａ）と前記第２筐体（３１）において前記第２端（後面３１２）から前記第１端（前面３１１）に向かう規定方向（Ｄ３１ａ）との間の角度（θ）が鋭角となる位置である。第１０の態様によれば、照明器具（１０）の低背化を図ることができ、さらに、被照射物（ホリゾント９０）に光を照射する際に電源装置（３０）を人の邪魔にならない場所（スペース８２）に配置できる。
【符号の説明】
【００５２】
１０  照明器具
２０  光源装置
２１  第１筐体
２１０  開口
２１０ａ  第１辺
２１０ｂ  第２辺
２１１  前面
２２  パネル体
２２１  第１光拡散パネル
２２２  第２光拡散パネル
２４  遮光壁
３０  電源装置
３１  第２筐体
３２ａ，３２ｂ  支持片
４０  光源
６０  電源回路
Ｄ２１ａ  前方向
Ｄ２２  所定方向（第１方向）
Ｄ３１ａ  規定方向
Ｄ３３  対向方向（第２方向）
【図１】
2018073793.tif 000003
【図２】
2018073793.tif 000004
【図３】
2018073793.tif 000005
【図４】
2018073793.tif 000006
【図５】
2018073793.tif 000007
【図６】
2018073793.tif 000008